(57)【要約】    【課題】      電子番組表において強調したいジャンルを簡単に設定すること。    【解決手段】  リモコン１２０から電子番組表の表示起動信号がリモコン受信手段１０１に対し送信されると、制御手段１０２の制御により、ジャンル表示手段１０５がジャンル選択画面をモニタ１１１に表示する。ジャンル選択画面３００にて好みのジャンルが選択されると、ジャンル選択手段１０３は、選択されたジャンルのコードを強調ジャンル記憶手段１０４に格納させると共に、制御手段１０２に対し通知する。すると、制御手段１０２は、電子番組表表示手段１０６に指示を送り、電子番組表データ格納手段１０８から電子番組表データを読み出させ、電子番組表に含まれる各番組のコードが強調ジャンル記憶手段１０４に格納されたコードと一致する場合は、その番組紹介欄を強調表示した電子番組表をモニタ１１１に表示させる。  【選択図】      図１
2007019927.tif 000002
【特許請求の範囲】
【請求項１】
番組毎の紹介欄である番組紹介欄を掲載した電子番組表を表示する電子番組表表示装置であって、
前記電子番組表にて強調表示をする番組のジャンルを選択するためのジャンル選択画面を表示するジャンル表示手段と、
前記ジャンル選択画面上にて強調表示をする番組のジャンルを選択するためのジャンル選択手段と、
前記ジャンル選択手段によって選択された強調表示をするジャンルと一致するジャンルの番組紹介欄が前記電子番組表上にある場合は、その番組紹介欄を強調表示した電子番組表を表示する電子番組表表示手段と、
を有することを特徴とする電子番組表表示装置。
【請求項２】
請求項１記載の電子番組表表示装置において、
前記ジャンル表示手段は、前記電子番組表の表示起動指示が入力された際、前記電子番組表表示手段が前記電子番組表を表示する前に、前記ジャンル選択画面を表示することを特徴とする電子番組表表示装置。
【請求項３】
前記電子番組表表示手段は、前記ジャンル選択手段によって選択された強調表示をするジャンルを前記電子番組表上に掲載して前記電子番組表を表示することを特徴とする電子番組表時装置。
【請求項４】
番組毎の紹介欄である番組紹介欄を掲載した電子番組表を表示する電子番組表表示方法であって、
前記電子番組表にて強調表示をする番組のジャンルを選択するためのジャンル選択画面を表示し、
前記ジャンル選択画面上にて強調表示をする番組のジャンルが選択された際、その選択されたジャンルと一致するジャンルの番組紹介欄が前記電子番組表上にある場合は、その番組紹介欄を強調表示した電子番組表を表示する、ことを特徴とする電子番組表示方法。
【発明の詳細な説明】
【技術分野】
【０００１】
本発明は、電子番組表を表示する電子番組表表示装置および電子番組表表示方法に関するものである。
【背景技術】
【０００２】
近年、衛星デジタル放送、地上デジタル放送が開始されて、放送データに電子番組表が多重化して送信されるようになった。テレビ受信機は、多重化された電子番組表を取得して、画面上に番組表を表示して、ユーザが視聴、録画予約が簡単に行なえるような機能を提供している。
【０００３】
例えば、従来、ジャンルごとに異なる色を番組表の番組領域に使用することで、番組表のジャンル視認性を向上させる電子番組表表示装置がある（例えば、特許文献１参照。）。
【特許文献１】特開２００１−１９７３９０号公報
【発明の開示】
【発明が解決しようとする課題】
【０００４】
しかし、電子番組表は、テレビ画面に番組データを表示してユーザが視聴したい番組を見つける機能を提供するＧＵＩ画面である。通常テレビ画面に表示できるのは、表示できる文字の大きさなどを考慮すると、画面に表示できるのは３チャンネル程度のチャンネルと、数時間分の番組データ程度となる。そのため、ユーザはテレビリモコンにあるカーソルキーを使用して、上下左右に画面をスクロールさせながら番組を探すような使い方をする。
【０００５】
しかしながら、スクロールしている画面からユーザが見たい番組タイトルを認識するのは、スクロール速度が速いと広範囲を速やかに探せるが、文字を読むのが困難になり、逆にスクロール速度を遅くすると文字を読むのは簡単となるが、探すのに時間がかかるという問題があった。
【０００６】
また、前記特許文献１に記載の従来の電子番組表表示装置では、番組データが多くのジャンルに対応する場合、番組表に表示される色が多くなり、色とジャンルの対応を覚えるのが煩わしく、簡単に強調したいジャンルを設定できない、という問題もあった。
【０００７】
そこで、本発明は、電子番組表において強調したいジャンルを簡単に設定することができる電子番組表表示装置および電子番組表表示方法を提供することを目的とする。
【課題を解決するための手段】
【０００８】
上記課題を解決するため、本発明の電子番組表表示装置では、番組毎の紹介欄である番組紹介欄を掲載した電子番組表を表示する電子番組表表示装置であって、前記電子番組表にて強調表示をする番組のジャンルを選択するためのジャンル選択画面を表示するジャンル表示手段と、前記ジャンル選択画面上にて強調表示をする番組のジャンルを選択するためのジャンル選択手段と、前記ジャンル選択手段によって選択された強調表示をするジャンルと一致するジャンルの番組紹介欄が前記電子番組表上にある場合は、その番組紹介欄を強調表示した電子番組表を表示する電子番組表表示手段と、を有するものである。
【０００９】
特に、上記電子番組表表示装置において、前記ジャンル表示手段は、前記電子番組表の表示起動指示が入力された際、前記電子番組表表示手段が前記電子番組表を表示する前に、前記ジャンル選択画面を表示するものである。
【００１０】
また、上記電子番組表表示装置において、前記電子番組表表示手段は、前記ジャンル選択手段によって選択された強調表示をするジャンルを前記電子番組表上に掲載して前記電子番組表を表示するものである。
【００１１】
また、本発明の電子番組表表示方法は、番組毎の紹介欄である番組紹介欄を掲載した電子番組表を表示する電子番組表表示方法であって、前記電子番組表にて強調表示をする番組のジャンルを選択するためのジャンル選択画面を表示し、前記ジャンル選択画面上にて強調表示をする番組のジャンルが選択された際、その選択されたジャンルと一致するジャンルの番組紹介欄が前記電子番組表上にある場合は、その番組紹介欄を強調表示した電子番組表を表示するものである。
【発明の効果】
【００１２】
本発明によれば、ジャンル選択画面上にて強調表示すべき番組のジャンルが選択されると、その選択されたジャンルと一致するジャンルの番組紹介欄が電子番組表上にある場合、その番組紹介欄を強調表示した電子番組表が表示されるので、電子番組表において強調したいジャンルを簡単に設定することができる。
【発明を実施するための最良の形態】
【００１３】
次に、本発明にかかる電子番組表表示装置の実施の形態について説明する。
【００１４】
図１は、本発明の番組表表示装置の実施の形態の構成例を示すブロック図である。
【００１５】
図１において、本実施の形態の番組表表示装置は、リモコン受信手段１０１、制御手段１０２、ジャンル選択手段１０３、強調ジャンル記憶手段１０４、ジャンル選択画面を表示するジャンル表示手段１０５、電子番組表を表示する電子番組表表示手段１０６、デジタル放送受信手段１０７、電子番組表データ格納手段１０８、ＯＳＤメモリ１０９、ＤＡＣ１１０、モニタ１１１、リモコン１２０等を有している。
【００１６】
ここで、電子番組表データ格納手段１０８としては、揮発性メモリあるいは不揮発性メモリ、さらにはハードディスクなどが考えられる。また、強調ジャンル記憶手段１０４も同様に、揮発性メモリや不揮発性メモリ等が考えられる。
【００１７】
図２は、図１に示すリモコン１２０の外観の一例を示す図である。
【００１８】
このリモコン１２０は、リモコン受信手段１０１に対し強調表示すべきジャンルを選択するためのジャンルコード等を送信するものである、具体的には、図２に示すように、モニタ１１１に表示されたジャンル選択画面にてジャンル項目等を選択するためカーソルを移動させる上カーソルキー１２１、左カーソルキー１２２、右カーソルキー１２３および下カーソルキー１２４と、強調表示をするジャンルを決定するための決定キー１２５、電子番組表の表示を起動させるための番組表起動キー１２６、ジャンル選択画面の表示を起動させるジャンル選択画面キー１２７等を有している。なお、本実施の形態では、後述するが、ジャンル選択画面は、番組表起動キー１２６が押下されて、電子番組表が表示される前、およびジャンル選択画面キー１２７が押下された場合に表示される。
【００１９】
次に、動作を説明する。
【００２０】
図２に示すように、ユーザによりリモコン１２０にて番組表起動キー１２６が押下され、電子番組表の表示起動信号がリモコン受信手段１０１に対し送信されると、リモコン受信手段１０１がその電子番組表表示起動信号を受信して、制御手段１０２へ出力する。
【００２１】
制御手段１０２は、リモコン受信手段１０１から電子番組表表示起動信号を受信すると、まずは、ジャンル表示手段１０５に対しジャンル選択画面の表示動作指示を通知する。
【００２２】
ジャンル表示手段１０５は、制御手段１０２からジャンル選択画面の表示動作指示が通知されると、ユーザにジャンルを選択させるためのジャンル選択画面データを作成してＯＳＤメモリ１０９に書き込む。
【００２３】
ＯＳＤメモリ１０９に書き込まれたジャンル選択画面データは、ＤＡＣ１１０にて映像信号に変換されてモニタ１１１に出力され、モニタ１１１にてジャンル選択画面が表示される。
【００２４】
図３は、モニタ１１１に表示されるジャンル選択画面３００の一例を示す図である。
【００２５】
図３において、ジャンル選択画面３００には、例えば、ユーザが選択可能なジャンル項目を示したジャンルボタン３０１〜３０６が表示されている。ここでは、一例として、“映画”のジャンルボタン３０１、“ドラマ”のジャンルボタン３０２、“スポーツ”のジャンルボタン３０３、“情報”のジャンルボタン３０４、“ニュース”のジャンルボタン３０５、“お笑い”のジャンルボタン３０６等がジャンル選択画面３００に表示されている。なお、図３では、“お笑い”のジャンルボタン３０６が押下された場合を示している。
【００２６】
このようなジャンル選択画面３００がモニタ１１１に表示され、ユーザが図２に示すリモコン１２０によりカーソルキー１５１〜１５４を操作して、ジャンル選択画面３００から電子番組表で強調表示したいジャンルのジャンルボタン３０１〜３０６を選択し、続いてリモコン１２０の決定キー１５５を押下すると、その決定信号がリモコン受信手段１０１、制御手段１０２を介して、ジャンル選択手段１０３へ送られる。
【００２７】
ジャンル選択手段１０３は、ジャンル選択画面３００にて選択されたジャンルボタン３０１〜３０６に対応したジャンルコードを強調ジャンル記憶手段１０４へ出力して格納する。
【００２８】
強調ジャンル記憶手段１０４では、ジャンル選択手段１０３から通知されたジャンルコードを不揮発メモリ等に格納する。
【００２９】
図４は、番組のジャンルとジャンルコードとの対応を示すジャンル対応表４００の一例を示している。
【００３０】
このジャンル対応表４００では、ジャンル毎にジャンルコードを示しており、例えば、“映画”のジャンルであればジャンルコード“１”、“ドラマ”のジャンルであればジャンルコード“２”、“スポーツ”のジャンルであればジャンルコード“３”、…“お笑い”のジャンルであればジャンルコード“６”というように設定されている。そして、図３に示すジャンル選択画面３００にて“お笑い”のジャンルボタン３０６が選択された場合は、ジャンル選択手段１０３より強調ジャンル記憶手段１０４に対し、ジャンルコード“６”が送られて格納されることになる。なお、このジャンル対応表４００は、ジャンルコードを送受信するジャンル選択手段１０３や、番組データ表示手段１０５等が予め記憶していることになる。
【００３１】
また、ジャンル選択手段１０３は、ジャンル選択画面３００にて選択されたジャンルボタン３０１〜３０６に対応したジャンルコードを強調ジャンル記憶手段１０４に送って格納するのと同時に、制御手段１０２に対しあるジャンルが選択されたことを通知する。
【００３２】
制御手段１０２は、ジャンル選択手段１０３からジャンルが選択されたことが通知されると、電子番組表表示手段１０６に対し電子番組表の表示動作指示を通知する。
【００３３】
電子番組表表示手段１０６では、制御手段１０２から電子番組表の表示動作指示が通知されると、電子番組表データ格納手段１０８からモニタ１１１に表示する電子番組表のデータを読み出す。ここで、この電子番組表のデータは、デジタル放送受信手段１０７がデータ放送として放送された電子番組表データを受信したものでも良いし、ここでは、図示しないが、インターネットなどを介してプロバイダからダウンロードした電子番組表のデータであっても勿論かまわない。
【００３４】
そして、電子番組表表示手段１０６は、電子番組表データ格納手段１０８から読み出した電子番組表データに含まれるジャンルコードが、強調ジャンル記憶手段１０４に格納されているジャンルコードと一致するか否かを判断し、一致した場合は、そのジャンル番組紹介欄を強調表示する。強調表示の具体例としては、強調表示すべき番組紹介欄を表示する矩形の背景色を赤、番組タイトルを太文字の黒等で表示して、ＯＳＤメモリ１０９に書き込む。一致しない番組は、矩形の背景色を白、番組タイトルを黒で構成して、ＯＳＤメモリ１０９に書き込む。なお、強調表示の他の具体例としては、一致しない番組の番組紹介欄を消去して空欄で示すようにしても勿論かまわないし、色を変えたり、輝度を変えたり、点滅等させるようしても勿論よい。
【００３５】
このようにして、ＯＳＤメモリ１０９に書き込まれた電子番組表のデータは、ＤＡＣ１１０にて変換され、モニタ１１１に表示される。
【００３６】
図５は、モニタ１１１に表示される電子番組表５００の一例を示す図である。
【００３７】
図５において、この電子番組表５００は、例えば、横軸にチャンネル（ｃｈ）をとり、縦軸に時間をとり、各番組の開始時刻と、タイトル名とが表示された番組毎の番組紹介欄である番組ラテ欄５０１〜５０９等から構成されている。この番組紹介欄である番組ラテ欄５０１〜５０９は、カーソルや色等により指定して、リモコン１２０の決定キー１２５等を押すことにより、選択した番組ラテ欄５０１〜５０９に表示されている番組を視聴あるいは予約などする画面に遷移できる。
【００３８】
また、番組ラテ欄５０１〜５０９の指定は、リモコン１２０におけるカーソルキー１２１〜１２４を操作することにより、隣接する別の番組ラテ欄に移動できる。
【００３９】
さらに、電子番組表５００に現在表示されている一番下の番組ラテ欄、例えば、図５においては番組ラテ欄５０７〜５０９のいずれかを指定して、リモコン１２０の下カーソルキー１２４を長押しした場合は、リモコン１２０からリモコン受信手段１０１、制御手段１０２を介して電子番組表表示手段１０６へスクロール指示信号が送られる。これにより、電子番組表表示手段１０６は、電子番組表５００を例えば１時間ずつ時間画面がスクロールして、図５では、１１時以降の番組の番組ラテ欄を表示することができる。
【００４０】
なお、図５において、番組ラテ欄５０５，５０６は強調ジャンル記憶手段１０４に格納されたジャンルコードと一致した番組データ、すなわちユーザにより強調表示をすべきと選択されたジャンルの番組ラテ欄である。他の番組ラテ欄５０１〜５０４，５０７〜５０９と比較して、例えば、背景色は赤で、文字は太文字の黒等の強調表示により表示される。なお、他の番組ラテ欄５０１〜５０４，５０７〜５０９は、背景色が白、文字は細文字の黒なので、強調したいジャンルの番組データの視認性が非常によい電子番組表５００を実現できる。
【００４１】
また、図５に示す電子番組表５００において、強調ジャンル欄５１０は、図３に示すジャンル選択画面３００にて選択され、強調ジャンル記憶手段１０４にジャンルコードが格納された強調表示すべきジャンルの項目、この場合であれば“お笑い”を示す表示欄であり、電子番組表５００上に表示される。なお、この強調ジャンル欄５１０は、ジャンル表示手段１０５が電子番組表５００上に表示しても良いし、また、電子番組表表示手段１０６が電子番組表５００の一表示項目として表示するようにしても良い。
【００４２】
これにより、ユーザは、図３のジャンル選択画面３００にて選択した強調表示すべきジャンルを記憶していなくても、図５に示す電子番組表５００に強調ジャンル欄５１０が表示されているので、図３のジャンル選択画面３００で選択したジャンルを記憶する必要が無く、また、電子番組表５００においても確認することが可能となり、使用しやすい電子番組表５００を実現することができる。
【００４３】
次に、電子番組表５００の起動時に選択したジャンルを変更する場合の動作について説明する。
【００４４】
この場合、まず、図２に示すリモコン１２０において、ジャンル選択画面キー１２７が押下されると、リモコン１２０からリモコン受信手段１０１に対し、ジャンル選択画面３００の起動信号が送信され、リモコン受信手段１０１から制御手段１０２に対し、強調ジャンル選択画面起動信号が送信される。
【００４５】
制御手段１０２は、リモコン１２０からジャンル選択画面３００の表示起動信号を受信すると、現在、電子番組表５００がモニタ１１１に表示されているか否かを確認する。
【００４６】
そして、制御手段１０２は、モニタ１１１に図５に示す電子番組表５００が表示されていない場合は、制御手段１０２は何も動作しない。
【００４７】
一方、モニタ１１１に図５に示す電子番組表５００が表示されている場合、制御手段１０２は、図３に示すジャンル選択画面３００の表示動作指示をジャンル表示手段１０５に対し通知して、モニタ１１１にジャンル選択画面３００を表示させる。
【００４８】
これにより、図５に示すように電子番組表５００にて、例えば“お笑い”を強調ジャンルとして選択表示させていたときに、“スポーツ”を強調ジャンルに変更したい場合は、電子番組表５００の表示中に、リモコン１２０のジャンル選択画面キー１２７を押下するだけで、電子番組表５００の起動時だけでなく、ユーザが強調表示すべきジャンルを変更したいときは何時でも図３に示すジャンル選択画面３００が再度表示されるので、ユーザは強調表示すべきジャンルを変更することが可能となり、ユーザの利便性が向上することになる。
【００４９】
なお、制御手段１０２は、モニタ１１１に電子番組表５００が表示されていても、いなくても、ジャンル選択画面３００の表示動作指示をジャンル表示手段１０５に対し通知して、モニタ１１１にジャンル選択画面３００を表示させるようにしても勿論よい。
【００５０】
このように、本実施の形態によれば、ジャンル選択画面３００にてユーザが強調表示したいジャンルを選択すると、選択されたジャンルの番組ラテ欄が電子番組表５００にて強調表示されるので、番組やチャンネルが多数あったしても、ユーザの好みのジャンルの番組を簡単に見つけることができると共に、その電子番組表５００のスクロール表示を速くしても、視聴したいジャンルの番組を簡単に見つけることが出来、ユーザの利便性や使い勝手が向上する。
【００５１】
特に、本実施の形態では、電子番組表５００の起動時に、ジャンル選択画面３００が表示されるようにしたので、電子番組表５００を表示する前に、強調表示をしたいジャンルを選択できるので、よりユーザの利便性や使い勝手が向上する。
【００５２】
また、本実施の形態では、図５に示すように、電子番組表５００にユーザが選択した強調表示したいジャンルの項目を示す強調ジャンル欄５１０が表示されるので、ユーザがジャンル選択画面３００にて選択した強調表示すべきジャンルをユーザが覚える必要がなくなり、この点でもよりユーザの利便性や使い勝手が向上する。
【００５３】
さらに、本実施の形態では、リモコン１２０のジャンル選択画面キー１２７を押下することにより、電子番組表５００の起動時だけでなく、ユーザが強調表示すべきジャンルを変更したいときは何時でもジャンル選択画面３００が再度表示されるので、ユーザは強調表示すべきジャンルを何時でも変更することが可能となり、この点でもよりユーザの利便性が向上することになる。
【００５４】
なお、本実施の形態では、リモコン１２０によりジャンル選択画面３００を表示させるようにしたが、本発明では、これに限らず、テレビ自体に設けられた電子番組表起動ボタンを押下した場合でも良いし、電子番組表５００がデジタル放送を受信する際に自動的に電子番組表５００がダウンロードされて表示されうるように設計されている場合には、電子番組表５００が自動で表示される前にジャンル選択画面３００が自動で表示されるようにしても勿論よく、リモコン１２０以外の操作によりジャンル選択画面３００が表示されるようにしても勿論よい。
【００５５】
また、本実施の形態では、電子番組表５００が表示される前にジャンル選択画面３００が表示されるように説明したが、本発明では、これに限らず、電子番組表５００が表示された後に自動的にジャンル選択画面３００が表示されるようにしても良いし、さらには、電子番組表５００が表示される前に、常にジャンル選択画面３００を表示するのではなく、モニタ１１１に表示される電子番組表５００における番組紹介欄の数をその表示前に制御手段１０２等が判断して、所定数以上の番組紹介欄が電子番組表５００に表示される場合のみ、電子番組表５００が表示される前にジャンル選択画面３００が表示されるようにしても勿論良いし、電子番組表５００において表示される番組の放送時刻（１８：００時から２２：００時まで、または２２：００時から翌日の４：００時まで等）や、チャンネルの数（１０チャンネル以上）、チャンネルの種類（ＢＳデジタルや地上波デジタル）、さらには曜日等に応じて電子番組表５００が表示される前にジャンル選択画面３００を表示するようにしても勿論よい。
【産業上の利用可能性】
【００５６】
以上のように、本発明の電子番組表表示装置の一形態によれば、電子番組表を起動するときに、強調表示をするジャンルが選択できるため、その時々で強調したいジャンルを設定できる。また、番組表でスクロールなどを行なっている場合でも、強調したいジャンルの番組は視認性が良いので、スクロールが速くても視聴したいジャンルの番組が画面に表示されたときにすぐに気づき、効率よく探すことができる。そしてスクロールが速いので、ユーザは快適に操作できる。また、電子番組表を起動している途中で、違うジャンルを強調して見たいと思った場合は、強調表示をするジャンルを設定するジャンル選択画面を再度表示させて、強調するジャンルを簡単に再設定して、再び番組を探すことができる。また、強調表示されているジャンルを示す強調ジャンル欄が電子番組画面に表示されるので、ユーザは強調しているジャンルを覚える必要がないという利点がある。
【００５７】
よって、本発明の電子番組表表示装置は、かかる点で、電子番組表データがデータ放送として放送され受信するデジタル放送受信機や、インターネットなどを介してプロバイダから電子番組表データを取得する番組録画機機能を有するＰＣ等に利用でき、有用である。
【図面の簡単な説明】
【００５８】
【図１】本発明の番組表表示装置の実施の形態の構成例を示すブロック図である。
【図２】図１に示すリモコンの外観の一例を示す図である。
【図３】モニタに表示されるジャンル選択画面の一例を示す図である。
【図４】番組のジャンルとジャンルコードとの対応を示すジャンル対応表の一例を示している。
【図５】モニタに表示される電子番組表の一例を示す図である。
【符号の説明】
【００５９】
１０１  リモコン受信手段
１０２  制御手段
１０３  ジャンル選択手段
１０４  強調ジャンル記憶手段
１０５  ジャンル表示手段
１０６  電子番組表表示手段
１０７  デジタル放送受信手段
１０８  電子番組表データ格納手段
１０９  ＯＳＤメモリ
１１０  ＤＡＣ
１１１  モニタ
１２０  リモコン
【図１】
2007019927.tif 000003
【図２】
2007019927.tif 000004
【図３】
2007019927.tif 000005
【図４】
2007019927.tif 000006
【図５】
2007019927.tif 000007